(57)【要約】【課題】ＤＶＤレコーダにおいて、ユーザがＤＶＤメディアに記録されているコンテンツを消去しても良いか否かを容易に判断することができる情報を提供できるようにする。【解決手段】ＤＶＤレコーダ１は、ＤＶＤレコーダ１全体を制御する制御部２と、ＤＶＤメディア３に各種情報を記録する記録再生部４と、操作パネル５やリモコン６を介して各種設定を行う命令をユーザから入力される命令受付部７とを備える。記録再生部４は、ＶＭＧファイル内に、コンテンツを消去する目安となる再生回数、お気に入り度、最終再生回数などの情報を保持する属性情報領域を各コンテンツに対応付けて作成する。ユーザは、ＤＶＤメディア３に記録されたコンテンツを消去する際、属性情報領域が保持する情報をモニタ９に表示させることによって、ＤＶＤメディア３に記録されているコンテンツを再生することなく、容易にコンテンツを消去するか否かを判断することができる。【選択図】図１
2008287778.tif 000002
【特許請求の範囲】
【請求項１】
ＤＶＤメディアにＤＶＤビデオフォーマット又はＤＶＤレコーディングフォーマットで映像及び音声からなるコンテンツを記録する記録手段と、該ＤＶＤメディアに記録されている該コンテンツを再生する再生手段と、ユーザからの命令を受付ける命令受付部と、現在の日時を計時する計時部と、装置全体を制御する制御部とを備えたＤＶＤレコーダにおいて、
前記命令受付部は、ユーザから、ユーザの前記コンテンツに対する評価を示すお気に入り度と、該コンテンツを消去してよいか否かの消去可否情報と、該お気に入り度又は該消去可否情報を入力したユーザの属性を示すユーザ属性とを受付け、
前記記録手段は、
前記コンテンツを前記ＤＶＤメディアに記録するとき、前記ＤＶＤビデオフォーマット又は前記ＤＶＤレコーディングフォーマット内の予め定められた領域に、該コンテンツ毎に前記コンテンツが再生された再生回数と、該コンテンツが最後に再生された再生日時と、前記お気に入り度と、前記消去可否情報と、前記ユーザ属性とを保持する前記属性情報領域を作成し、
前記再生手段が前記コンテンツの再生を開始すると、直ちに該コンテンツの再生が開始された時点において前記計時部が保持する日時を前記再生日時に記録し、該再生手段が再生を終了したときに、前記再生回数に記録されている値に１を加えた値を該再生回数に記録し、
前記命令受付部が前記お気に入り度、前記消去可否情報又は前記ユーザ属性を受付けたことに応じて、該お気に入り度情報又は該消去可否情報を書き換えることを特徴とするＤＶＤレコーダ。
【請求項２】
前記属性情報領域は、さらに前記お気に入り度、前記消去可否情報又は前記ユーザ属性を書き換えるために利用されるパスワードを保持し、
前記制御部は、
前記命令受付部が、前記ＤＶＤメディアに記録されている前記コンテンツを消去する命令と前記パスワードを受付けると、前記消去可否情報に消去することを許可する情報が記録されており、かつ、該命令受付部が受付けた該パスワードと前記属性情報領域が保持している前記パスワードが一致するとき、前記記録手段に該コンテンツを消去させ、
前記命令受付部が、前記お気に入り度、前記消去可否情報、前記ユーザ属性又は前記属性情報領域が保持している前記パスワードを書き換える命令と該パスワードを受付けると、該命令受付部が受付けた該パスワードと該属性情報領域が保持している該パスワードが一致するとき、前記記録手段に該お気に入り度、該消去可否情報、該ユーザ属性又は該パスワードを書き換えさせることを特徴とする請求項１に記載のＤＶＤレコーダ。
【請求項３】
前記属性情報領域は、前記ＤＶＤビデオフォーマット又は前記ＤＶＤレコーディングフォーマットにおけるＶＭＧ（Ｖｉｄｅｏ  Ｍａｎａｇｅｒ）ファイル内に作成されることを特徴とする請求項１又は請求項２に記載のＤＶＤレコーダ。
【発明の詳細な説明】
【技術分野】
【０００１】
本発明は、ユーザがＤＶＤメディアに記録されているコンテンツを消去しても良いか否かを容易に判断することができる情報を提供するＤＶＤレコーダに関する。
【背景技術】
【０００２】
ＤＶＤレコーダは、高密度記録技術やデータ圧縮技術の進歩に伴い、ＤＶＤメディアに大容量のコンテンツを記録することが可能となっている。これにより、ユーザによって、多種多様なコンテンツが複数のＤＶＤメディアに記録されている。ユーザは、コンテンツをＤＶＤメディアに記録した直後は、記録したコンテンツの内容を把握しているが、時間が経過すると、どのＤＶＤメディアにどのようなコンテンツを記録したかが分からなくなるという問題が生じていた。さらに、ユーザは、記録されているコンテンツに関する情報として、例えば、タイトルや記録日などを知ることができたとしても、このコンテンツを消去して良いか否かを判断することができなかった。ユーザは、コンテンツを再生して内容を確認することによって、このコンテンツを消去して良いか否かを判断することができるが、多数のコンテンツの再生には多大な時間を要するため、容易にコンテンツを削除するか否かを決定できないことが問題となっていた。
【０００３】
そこで、特許文献１には、記録再生装置が、コンテンツと、コンテンツの記録開示時間、記録終了時間、タイトル、監督、出演者などの属性とを対応付けて記録媒体に記録する技術が開示されており、特許文献２には、記録再生装置が、映像音声信号と、映像音声信号が記録される日付、時刻及びチャンネル情報などとを関連付けて記憶媒体に記録する技術が開示されている。これにより、ユーザは、コンテンツを再生することなく、コンテンツに関する情報を知ることができる。また、特許文献３には、デジタル記録再生装置が、コンテンツの再生履歴を管理する技術が開示されている。これにより、ユーザは、コンテンツ内において頻繁に再生されている箇所を特定することができる。さらに、特許文献４には、画像再生装置が、複数の画像を連続して再生するスライドショー表示機能を備え、画像毎に関連付けられている情報に基づいて表示する画像を選択する。これにより、画像再生装置は、目的に適合した画像のみを再生することができる。また、画像再生装置は、予め定められた枚数の画像を表示することにより、スライドショーの表示時間を調整することができる。
【０００４】
しかしながら、特許文献１及び特許文献２に示される技術においては、ユーザは、コンテンツに関する情報を知ることができるが、ユーザがコンテンツを消去する際の目安となるユーザのコンテンツに対するお気に入り度合いや、ユーザが対象となるコンテンツを消去して良いと考えているか否かを知ることができなかった。また、特許文献３に示される技術においては、デジタル記録再生装置が、コンテンツの再生履歴を管理することにより、ユーザはコンテンツの再生頻度を知ることはできるが、ユーザがコンテンツを消去する際に使用されるパスワードを管理することができなかった。さらに、特許文献４に示される技術においては、画像再生装置が再生する画像を選択するものであり、ユーザがコンテンツを消去する際の目安となる情報をコンテンツとともにＤＶＤメディアに記録するものではない。
【特許文献１】特開平１１−３１２３７９号公報
【特許文献２】特開２００１−１６７５６４号公報
【特許文献３】特開２００１−３５１３９号公報
【特許文献４】特開２００６−２７９１１８号公報
【発明の開示】
【発明が解決しようとする課題】
【０００５】
本発明は、上記従来例の問題を解決するためになされたものであり、コンテンツとユーザがこのコンテンツを消去する際の目安となる情報とを対応付けてＤＶＤメディアに記録することにより、ユーザがコンテンツを再生することなく容易にコンテンツを消去するか否かを判断することができるＤＶＤレコーダを提供することを目的とする。
【課題を解決するための手段】
【０００６】
上記目的を達成するために請求項１の発明は、ＤＶＤメディアにＤＶＤビデオフォーマット又はＤＶＤレコーディングフォーマットで映像及び音声からなるコンテンツを記録する記録手段と、ＤＶＤメディアに記録されているコンテンツを再生する再生手段と、ユーザからの命令を受付ける命令受付部と、現在の日時を計時する計時部と、装置全体を制御する制御部とを備えたＤＶＤレコーダにおいて、命令受付部は、ユーザから、ユーザのコンテンツに対する評価を示すお気に入り度と、コンテンツを消去してよいか否かの消去可否情報と、お気に入り度又は消去可否情報を入力したユーザの属性を示すユーザ属性とを受付け、記録手段は、コンテンツをＤＶＤメディアに記録するとき、ＤＶＤビデオフォーマット又はＤＶＤレコーディングフォーマット内の予め定められた領域に、コンテンツ毎にコンテンツが再生された再生回数と、コンテンツが最後に再生された再生日時と、お気に入り度と、消去可否情報と、ユーザ属性とを保持する属性情報領域を作成し、再生手段がコンテンツの再生を開始すると、直ちにコンテンツの再生が開始された時点において計時部が保持する日時を再生日時に記録し、再生手段が再生を終了したときに、再生回数に記録されている値に１を加えた値を再生回数に記録し、命令受付部がお気に入り度、消去可否情報又はユーザ属性を受付けたことに応じて、お気に入り度情報又は消去可否情報を書き換えるようにしたものである。
【０００７】
また、請求項２の発明は、請求項１のＤＶＤレコーダにおいて、属性情報領域は、さらにお気に入り度、消去可否情報又はユーザ属性を書き換えるために利用されるパスワードを保持し、制御部は、命令受付部が、ＤＶＤメディアに記録されているコンテンツを消去する命令とパスワードを受付けると、消去可否情報に消去することを許可する情報が記録されており、かつ、命令受付部が受付けたパスワードと属性情報領域が保持しているパスワードが一致するとき、記録手段にコンテンツを消去させ、命令受付部が、お気に入り度、消去可否情報、ユーザ属性又は属性情報領域が保持しているパスワードを書き換える命令とパスワードを受付けると、命令受付部が受付けたパスワードと属性情報領域が保持しているパスワードが一致するとき、記録手段にお気に入り度、消去可否情報、ユーザ属性又はパスワードを書き換えさせるようにしたものである。
【０００８】
また、請求項３の発明は、請求項１または請求項２のＤＶＤレコーダにおいて、属性情報領域は、ＤＶＤビデオフォーマット又はＤＶＤレコーディングフォーマットにおけるＶＭＧファイル内に作成されるようにしたものである。
【発明の効果】
【０００９】
請求項１の発明によれば、記録手段は、コンテンツの再生回数及び再生日時に加えて、ユーザによって入力されるお気に入り度、消去可否情報、及びユーザ属性とを保持する属性情報領域を予め定められた領域に作成する。ユーザは、属性情報領域に保持されている情報を参照することによって、コンテンツを再生することなく、コンテンツを消去するか否かの目安となる情報を得ることができる。
【００１０】
請求項２の発明によれば、属性情報領域は、お気に入り度、消去可否情報又はユーザ属性を書き換えるために利用されるパスワードを保持する。これにより、ユーザによって設定される情報が改ざんされることが防止される。また、他人によってコンテンツが消去されることや、ユーザ自身が誤ってコンテンツを消去することを回避することができる。
【００１１】
請求項３の発明によれば、属性情報領域は、ＶＭＧファイル内に作成される。再生手段は、コンテンツを再生するとき、先ずＶＭＧファイルにアクセスするため、ＤＶＤレコーダは、属性情報領域に保持されている情報をＤＶＤレコーダに接続されたモニタに迅速に表示することができる。
【発明を実施するための最良の形態】
【００１２】
以下、本発明の実施形態に係るＤＶＤレコーダについて、図面を参照して説明する。図１は、本発明の実施形態に係るＤＶＤレコーダの概略構成を示す。ＤＶＤレコーダ１は、ＤＶＤレコーダ１全体を制御する制御部２と、映像及び音声からなるコンテンツが、例えば、ＤＶＤビデオフォーマットで記録されるＤＶＤメディア３と、ＤＶＤメディア３に各種情報を記録する記録手段４Ａ及びＤＶＤメディア３に記録されているコンテンツを再生する再生手段４Ｂを備える記録再生部４と、ユーザによって操作パネル５やリモコン６を介して各種設定を行う命令が入力される命令受付部７とを備える。ＤＶＤメディア３は、例えば、ＤＶＤ±ＲＷであり、ＤＶＤビデオフォーマットの規格に従ってコンテンツが記録される。ここで、ＤＶＤメディア３にはコンテンツが記録されており、ＤＶＤメディア３は、ＤＶＤビデオフォーマットの規格に定められているＶＭＧ（Ｖｉｄｅｏ  Ｍａｎａｇｅｒ）ファイルとＶＴＳ（Ｖｉｄｅｏ  Ｔｉｔｌｅ  Ｓｅｔ）ファイルを含むファイル８が記録されている。制御部２には、記録再生部４が再生するコンテンツやファイル８に記録された各種情報をモニタ９に表示させる出力部１０が接続されている。また、制御部２は、現在の日付と時間を計時する計時部１１を備える。
【００１３】
記録再生部４は、コンテンツをＤＶＤメディア３に記録するとき、ＶＭＧファイル内に、コンテンツに関する情報を保持する属性情報領域を作成する。ユーザは、ＤＶＤメディア３に記録されたコンテンツを消去するとき、属性情報領域が保持する情報をモニタ９に表示させることによって、ＤＶＤメディア３に記録されているコンテンツを再生することなく、容易にコンテンツを消去するか否かを判断することができる。また、ＤＶＤレコーダ１は、ＤＶＤメディア３に記録されたコンテンツを再生するとき、最初にＶＭＧファイルにアクセスする。これにより、ＤＶＤレコーダ１は、ＶＭＧファイル内に存在する属性情報領域が保持する情報を、迅速にモニタ９に表示することができる。
【００１４】
次に、ＤＶＤメディア３に記録されているファイル８について説明する。図２は、ファイル８の構成を示す。図２において、ファイル８は、ＤＶＤメディア３に記録されているデータ全体を制御する制御情報やコンテンツのインデックス情報を保持するＶＭＧファイル８Ａと、各コンテンツの映像や音声などの内容に関する実データを保持する複数のＶＴＳファイル８Ｂとを保持する。ＶＴＳファイル８Ｂは、ＤＶＤメディア３に記録されるコンテンツの数に応じて作成される。ここで、１番目に記録されたコンテンツに対応するＶＴＳファイル８ＢをＶＴＳ１ファイル８Ｂ１とし、２番目に記録されたコンテンツに対応するＶＴＳファイル８ＢをＶＴＳ２ファイル８Ｂ２とし、ｎ番目に記録されたコンテンツに対応するＶＴＳファイル８ＢをＶＴＳ＃ｎファイル８Ｂｎとする。ファイル８は、ＶＴＳファイル８Ｂを最大で９９個保持することができる。
【００１５】
ＶＭＧファイル８Ａは、ＤＶＤメディア３に記録されているデータ全体を制御する制御情報を保持するＶＭＧＩ（Ｖｉｄｅｏ  Ｍａｎａｇｅｒ  Ｉｎｆｏｒｍａｔｉｏｎ）ファイル８Ａ１と、各コンテンツのタイトルに関する情報を保持するＶＭＧＭ＿ＶＯＢＳ（Ｖｉｄｅｏ  Ｏｂｊｅｃｔ  Ｓｅｔ  ｆｏｒ  ＶＭＧ  Ｍｅｎｕ）ファイル８Ａ２と、ＶＭＧＩファイル８Ａ１の完全なコピーをバックアップとして保持するＶＭＧＩ（ＢＵＰ）ファイル８Ａ３と、ユーザがコンテンツを再生することなくコンテンツを消去するか否かの目安とすることができる消去情報を保持するＶＭＧ＿ＡＴＲ（ＶＭＧ  Ａｔｔｒｉｂｕｔｅ）ファイル８Ａ４とを保持する。ここで、ＶＭＧＩファイル８Ａ１、ＶＭＧＭ＿ＶＯＢＳファイル８Ａ２、及びＶＭＧＩ（ＢＵＰ）ファイル８Ａ３は、ＤＶＤビデオフォーマット又はＤＶＤレコーディングフォーマットによって定められているファイルであり、ＶＭＧ＿ＡＴＲファイル８Ａ４は、本実施形態に係る記録再生部４によって作成されるファイルである。
【００１６】
次に、ＶＭＧ＿ＡＴＲファイル８Ａ４について説明する。図３は、ＶＭＧ＿ＡＴＲファイル８Ａ４の構成を示す。図３において、ＶＭＧ＿ＡＴＲファイル８Ａ４は、ＤＶＤメディア３に記録されている各コンテンツに対応する消去情報を保持する。ここで、ＶＭＧ＿ＡＴＲファイル８Ａ４は、例えば、ＶＴＳ１ファイル８Ｂ１に対応する消去情報をＶＭＧ＿ＡＴＲ１ファイル８Ａ４１として、ＶＴＳ２ファイル８Ｂ２に対応する消去情報をＶＭＧ＿ＡＴＲ２ファイル８Ａ４２として、ＶＴＳ＃ｎファイル８Ｂｎに対応する消去情報をＶＭＧ＿ＡＴＲ＃ｎファイル８Ａ４ｎとして保持する。
【００１７】
ＶＭＧ＿ＡＴＲファイル８Ａ４は、消去情報として、コンテンツが再生された再生回数を保持する「再生回数」項目と、ユーザのコンテンツに対する評価を示す「お気に入り度」項目と、コンテンツが最後に再生された日時を保持する「再生日時」項目と、コンテンツの消去を許可するか否かを示す「消去可否」項目と、「お気に入り度」項目や「消去可否」項目を設定したユーザの属性を示す「ユーザ属性」項目と、「お気に入り度」項目、「消去可否」項目、又は「ユーザ属性」項目の内容変更やコンテンツを消去するときに用いられるパスワードを保持する「パスワード」項目と、将来追加される項目に備えた予備領域としての「予備」項目とを保持する。
【００１８】
ここで、「お気に入り度」項目、「消去可否」項目、「ユーザ属性」項目、及び「パスワード」項目をユーザ設定項目とし、ユーザ設定項目は、ユーザによって操作パネル５又はリモコン６を介して設定される。「お気に入り度」項目は、例えば、「１」から「５」までの数値が入力され、最も気に入っている場合には「５」が入力される。「お気に入り度」項目のデフォルト値は「３」であり、ユーザが数値を入力しないときは、自動的に「３」が入力される。また、「消去可否」項目は、例えば、コンテンツの消去を認めない「不可」、又はコンテンツの消去を認める「可」のいずれか一方が入力される。「消去可否」項目のデフォルト値は「不可」であり、ユーザが設定を行わないときは、自動的に「不可」が入力される。「消去可否」項目に「不可」が設定されているとき、ユーザが操作パネル５又はリモコン６を介してコンテンツを消去する命令を命令受付部７に入力しても、記録再生部４はコンテンツを消去しない。
【００１９】
「ユーザ属性」項目は、例えば、「父」、「母」、「子」、「祖母」、「祖父」などの家族に関する情報が入力される。ユーザが「ユーザ属性」項目を設定しないときは、「ＮＵＬＬ」が入力される。また、「パスワード」項目は、例えば、４桁の数値が入力される。ユーザが「パスワード」項目を設定しないときは、「ＮＵＬＬ」が入力される。なお、「パスワード」項目の内容は、モニタ９には表示されないものとする。記録再生部４は、コンテンツをＤＶＤメディア３に記録したとき、「再生回数」項目に「０」を入力する。その後、記録再生部４は、コンテンツの一部を再生すると、再生終了後に「再生回数」項目に入力されている数値に１を加えた数値を改めて「再生回数」項目に入力する。また、記録再生部４は、コンテンツの再生を開始すると、直ちに計時部１１が保持している日時を「最終再生日時」項目に入力する。
【００２０】
ユーザは、ＶＭＧ＿ＡＴＲファイル８Ａ４をモニタ９に表示することにより、各コンテンツを再生することなく、容易に消去するか否かを決定することが可能となる。ユーザは、例えば、ＶＭＧ＿ＡＴＲ１ファイル８Ａ４１の内容を見ることによって、父親が記録したコンテンツであって、このコンテンツを消去することは許可されておらず、父親のコンテンツに対するお気に入り度は、５段階中「４」であり、今までに８回再生されており、最後に再生されたのは、２００７年４月４日の２３時３１分であることが分かる。ユーザは、これらの消去情報を参照することによって、このコンテンツを消去するか否かを決定することができる。
【００２１】
次に、ＤＶＤレコーダ１におけるＶＭＧ＿ＡＴＲファイル８Ａ４が書き換えられる処理について説明する。図４は、記録再生部４がＶＭＧ＿ＡＴＲファイル８Ａ４を書き換えるファイル書換処理の動作フローを示す。ここで、ＶＭＧ＿ＡＴＲファイル８Ａ４の「パスワード」項目には、パスワードが入力されているものとする。ＤＶＤレコーダ１の電源が投入されると、命令受付部７は、ユーザから操作パネル５又はリモコン６を介してコンテンツをＤＶＤメディア３に記録する命令が入力されるのを待つ（Ｓ１０１）。命令受付部７が、コンテンツを記録する命令を受け付けると（Ｓ１０１でＹｅｓ）、記録再生部４は、ＤＶＤメディア３にコンテンツを記録する際、ＶＭＧファイル８Ａ内にＶＭＧ＿ＡＴＲファイル８Ａ４を作成する（Ｓ１０２）。ステップＳ１０１において、命令受付部７が、コンテンツをＤＶＤメディア３に記録する命令を受け付けないとき（Ｓ１０１でＮｏ）、ＤＶＤレコーダ１は、ステップＳ１０３の処理を行う。
【００２２】
命令受付部７が、ＤＶＤメディア３に記録されているコンテンツを再生する命令を受付けると（Ｓ１０３）、記録再生部４は、計時部１１が保持している日時をＶＭＧ＿ＡＴＲファイル８Ａ４の「最終再生日時」項目に記録し（Ｓ１０４）、コンテンツの再生処理を実行する（Ｓ１０５）。記録再生部４は、命令受付部７が再生停止の命令を受け付けるまで再生処理を実行し（Ｓ１０６でＮｏ）、命令受付部７が再生停止の命令を受け付けると（Ｓ１０６でＹｅｓ）、「再生回数」項目に入力されている数値に１を加えた数値を「再生回数」項目に記録する（Ｓ１０７）。ステップＳ１０３において、命令受付部７が、コンテンツを再生する命令を受け付けないとき（Ｓ１０３でＮｏ）、ＤＶＤレコーダ１は、ステップＳ１０８の処理を行う。
【００２３】
命令受付部７が、ユーザ設定項目の変更命令とパスワードを受付けると（Ｓ１０８）、制御部２は、命令受付部７が受付けたパスワードと「パスワード」項目に記録されているパスワードとが一致するか否かを判定する（Ｓ１０９）。ここで、ユーザ設定項目の変更命令とは、「お気に入り度」項目、「消去可否」項目、「ユーザ属性」項目、又は「パスワード」項目として記録されている情報を変更する命令である。制御部２は、命令受付部７が受付けたパスワードと「パスワード」項目に記録されているパスワードとが一致しないとき（Ｓ１０９でＮｏ）、出力部１０にパスワードが一致しない旨を示すエラーメッセージをモニタ９に表示させる（Ｓ１１０）。一方、命令受付部７が受付けたパスワードと「パスワード」項目に記録されているパスワードとが一致するとき（Ｓ１０９でＹｅｓ）、記録再生部４は、ユーザ設定項目の変更命令に従って、ユーザ設定項目として記録されている情報を変更する（Ｓ１１１）。ステップＳ１０８において、命令受付部７が、ユーザ設定項目の変更命令を受け付けないとき（Ｓ１０８でＮｏ）、ＤＶＤレコーダ１は、ステップＳ１１２の処理を行う。
【００２４】
次に、命令受付部７が、コンテンツを消去する命令とパスワードを受付けると（Ｓ１１２）、制御部２は、命令受付部７が受付けたパスワードと「パスワード」項目に記録されているパスワードとが一致するか否かを判定する（Ｓ１１３）。制御部２は、「消去可否」項目に「不可」が記録されているか、命令受付部７が受付けたパスワードと「パスワード」項目に記録されているパスワードとが一致しないとき（Ｓ１１３でＮｏ）、出力部１０に個コンテンツを消去することができない旨、又はパスワードが一致しない旨を示すエラーメッセージをモニタ９に表示させる（Ｓ１１４）。一方、「消去可否」項目に「可」が記録されており、かつ命令受付部７が受付けたパスワードと「パスワード」項目に記録されているパスワードとが一致するとき（Ｓ１１３でＹｅｓ）、記録再生部４は、対象となるコンテンツを消去する（Ｓ１１５）。ステップＳ１１２において、命令受付部７が、コンテンツを消去する命令を受け付けないとき（Ｓ１１２でＮｏ）、ＤＶＤレコーダ１は、ステップＳ１１６の処理を行う。ＤＶＤレコーダ１は、電源が落とされなければステップＳ１０１の処理に戻り（Ｓ１１６でＮｏ）、電源が落とされるとファイル書換処理を終了する（Ｓ１１６でＹｅｓ）。
【００２５】
このように、ユーザは、ＶＭＧ＿ＡＴＲファイル８Ａ４をモニタ９に表示させることにより、コンテンツを再生することなく、容易にコンテンツを消去するか否かを決定することができる。また、全てのコンテンツに対応するＶＭＧ＿ＡＴＲファイル８Ａ４が、記録再生部４がコンテンツを再生するときに最初にアクセスするＶＭＧファイル８Ａ内に作成されることによって、ＤＶＤレコーダ１は、ＶＭＧ＿ＡＴＲファイル８Ａ４に記録されている情報を迅速にモニタ９に表示することができる。さらに、ＶＭＧ＿ＡＴＲファイル８Ａ４が、「パスワード」項目を保持することにより、他人によってユーザ設定情報が改ざんされることや、他人によって、又は誤操作によってコンテンツが消去されることを防止することができる。
【００２６】
なお、本発明は、上記実施形態の構成に限られず、種々の変形が可能であり、例えば、「お気に入り度」項目は、１から５までの数値が入力される構成でなく、１から１０までの数値が入力される構成であっても構わない。また、「ユーザ属性」項目は、例えば、家族に関する情報が入力される構成でなく、ユーザの氏名や役職が入力される構成であっても構わない。
【図面の簡単な説明】
【００２７】
【図１】本発明の実施形態に係るＤＶＤレコーダの概略を示す構成図。
【図２】本実施形態に係るＤＶＤメディアに記録されているファイルの構成図。
【図３】本実施形態に係るＶＭＧファイルの構成図。
【図４】同ＤＶＤレコーダにおけるファイル書換処理フロー。
【符号の説明】
【００２８】
１  ＤＶＤレコーダ
２  制御部
３  ＤＶＤメディア
４Ａ  記録手段
４Ｂ  再生手段
７  命令受付部
８Ａ  ＶＭＧファイル
１１  計時部
【図１】
2008287778.tif 000003
【図２】
2008287778.tif 000004
【図３】
2008287778.tif 000005
【図４】
2008287778.tif 000006